(57)【要約】【課題】  内容物の収納梱包作業が容易であり、再使用することができ、介護用ベッドのように非定型な複数の部品に分解されるような比較的大型の機材の収納に適している搬送用バッグを提供すること。【解決手段】  底部７を介して連接されている第１半部２ａおよび第２半部２ｂを展開状態と閉塞状態とを可変とした柔軟な素材からなるバッグ部２と、前記閉塞状態におけるバッグ部２の開口部３を開閉自在とするファスナ４と、前記両半部２ａ、２ｂの頂部よりそれぞれ上方に延出された搬送用索体５と、前記両半部２ａ、２ｂの少なくとも一方の表面に設けられている少なくとも１個の搬送用持ち手６とを有することを特徴とする。【選択図】    図１
2006296728.tif 000002
【特許請求の範囲】
【請求項１】
底部を介して連接されている第１半部および第２半部を展開状態と閉塞状態とを可変とした柔軟な素材からなるバッグ部と、前記閉塞状態におけるバッグ部の開口部を開閉自在とするファスナと、前記両半部の頂部よりそれぞれ上方に延出された搬送用索体と、前記両半部の少なくとも一方の表面に設けられている少なくとも１個の搬送用持ち手とを有することを特徴とする搬送用バッグ。
【請求項２】
前記両半部の頂部よりそれぞれ上方に延出された搬送用索体は、前記両半部の底部を通して連続するように形成されていることを特徴とする請求項１に記載の搬送用バッグ。
【請求項３】
前記搬送用バッグは、組立分解自在な介護用ベッドを分解状態にして収納自在に形成されていることを特徴とする請求項１または請求項２に記載の搬送用バッグ。
【請求項４】
前記搬送用バッグは、レンタル対象である前記介護用ベッドを収納するように形成されていることを特徴とする請求項３に記載の搬送用バッグ。
【発明の詳細な説明】
【技術分野】
【０００１】
本発明は、搬送用バッグに係り、比較的大型の機材の搬送に好適な搬送用バッグに関する。
【背景技術】
【０００２】
一般に、電動式の介護用ベッド等の比較的大型の機材を搬送する場合には、ベッドの構成各部を分解し、ダンボール製の搬送用ケース内に収納して搬送するようにしている。必要に応じて、発泡スチロール製のクッション材を用いている。
【０００３】
しかしながら、このようなダンボール製の搬送用ケース等は使い捨て方式のものであり、比較的大型の機材の搬送後に廃棄のための始末をする必要があった。
【０００４】
そこで、繰り返し使用することができる運搬用カバーや梱包体等が提案されている（例えば、特許文献１、２参照）。
【０００５】
【特許文献１】特開２００２−２８４２２３号公報
【特許文献２】特開２００４−１７５４１８号公報
【発明の開示】
【発明が解決しようとする課題】
【０００６】
ところが、前記従来例においては、被梱包物を梱包するのに手間がかかり、また、全体形状が矩形の箱状に形成されているために、介護用ベッドのように非定型な複数の部品に分解されるような比較的大型の機材の収納には適用できないという問題点があった。更に、介護用ベッドはレンタルによって患者が利用することが多いので、組立、分解、搬送を頻繁に行うものであり、簡単に収納できかつ搬送も容易な搬送手段の開発が養成されていた。
【０００７】
本発明はこれらの点に鑑みてなされたものであり、内容物の収納梱包作業が容易であり、再使用することができ、介護用ベッドのように非定型な複数の部品に分解されるような比較的大型の機材の収納、搬送に適している搬送用バッグを提供することを目的とする。
【課題を解決するための手段】
【０００８】
前記目的を達成するため、本発明の搬送用バッグは、底部を介して連接されている第１半部および第２半部を展開状態と閉塞状態とを可変とした柔軟な素材からなるバッグ部と、前記閉塞状態におけるバッグ部の開口部を開閉自在とするファスナと、前記両半部の頂部よりそれぞれ上方に延出された搬送用索体と、前記両半部の少なくとも一方の表面に設けられている少なくとも１個の搬送用持ち手とを有することを特徴とする。このようにしたことにより本発明の搬送用バッグによれば、バッグ部を展開した状態において搬送対象物をいずれかの半部に載せ、その後他方の半部を底部から折りたたむようにして搬送対象物の上に掛け、ファスナを閉めることによりバッグ部の開口部を全閉とすることにより、極めて簡単に搬送対象物の収納作業を行うことができる。搬送する場合には、搬送用索体を肩に掛け、搬送用持ち手部分を手で持つことにより簡単に搬送することができる。
【０００９】
また、本発明の他の態様における搬送用バッグは、前記両半部の頂部よりそれぞれ上方に延出された搬送用索体は、前記両半部の底部を通して連続するように形成されていることを特徴とする。このようにしたことにより本発明の搬送用バッグによれば、丈夫な搬送用索体がバッグ部の底部をも支承することとなり、バッグ部が丈夫となり、重い搬送対象物も搬送することができる。
【００１０】
また、本発明の他の態様における搬送用バッグは、組立分解自在な介護用ベッドを分解状態にして収納自在に形成されていることを特徴とする。このようにしたことにより本発明の搬送用バッグによれば、介護用ベッドを分解して簡単に搬送することができる。
【００１１】
また、本発明の他の態様における搬送用バッグは、レンタル対象である前記介護用ベッドを収納するように形成されていることを特徴とする。このようにしたことにより本発明の搬送用バッグによれば、レンタル対象とされている介護用ベッドをレンタルの搬送時に手際よく簡単に、しかも介護用ベッドを損傷させることなく安全に搬送することができる。
【発明の効果】
【００１２】
本発明の搬送用バッグはこのように形成され作用するために、内容物の収納梱包作業が容易であり、繰り返し再使用することができ、介護用ベッドのように非定型な複数の部品に分解されるような比較的大型の機材の収納に適している等の優れた効果を奏する。
【発明を実施するための最良の形態】
【００１３】
以下、本発明を図１から図７について説明する。
【００１４】
図１および図２は本発明の搬送用バッグの１実施形態を示す。
【００１５】
本実施形態の搬送用バッグ１は、介護用ベッド等の搬送対象物を収納する柔軟な素材からなるバッグ部２と、バッグ２の開口３部を開閉するファスナ４と、搬送時に用いる搬送用索体５と、搬送用持ち手６とを有している。バッグ部２は底部７をもって一体的に連続している第１半部２ａと第２半部２ｂとで形成されており、図１の閉塞状態と図２の展開状態とを可変自在として形成されている。バッグ部２の大きさは収納する搬送対象物の大きさ応じて複数種類用意するとよい。柔軟な素材としてはキャンバス地を用いるとよい。このキャンバス地は更に耐久性に優れているとともに汚れ難いという特性もある。また、キャンバス地を表素材とし、裏素材として内側に布や可撓性のクッション材を用いるとよい。ファスナ３はバッグ部２の第１半部２ａおよび第２半部２ｂの折りたたみ時に互いに対面する外周分からなる開口部３を開閉する物であり、本実施形態においては、第１半部２ａおよび第２半部２ｂの左右の半分ずつの外周部分を開閉する２分割されたファスナ４ａ、４ｂにより形成されている。搬送用索体５は、丈夫な帯状素材により形成されており、本実施形態においては、バッグ部２の第１半部２ａおよび第２半部２ｂの表面側に底部７をも通して全体としてループ状に形成されており、両半部２ａ、２ｂの表面部分に縫製され、更に両半部２ａ、２ｂの頂部よりループ状に延出されている。搬送用索体５の各半部２ａ、２ｂからの延出長さは、搬送用索体５を肩に掛けて搬送する際にちょうど良い程度の長さとするとよい。搬送用持ち手６は、搬送用索体５を肩に掛けてバッグ部２を搬送する際に、手で搬送用持ち手６を把持して搬送対象物の重さを支承するためのものであり、本実施形態においては、一方の第１半部２ａに搬送用索体５と同一の帯状素材をもって左右の搬送用索体５の間に掛け渡すとともに両端部をそれぞれ第１半部２ａに縫製して形成されている。なお、この搬送用持ち手６はバッグ部２の第１半部２ａおよび第２半部２ｂの少なくとも一方に少なくとも１個設ければよく、必要に応じて両半部２ａ、２ｂに複数個設けるようにしてもよい。
【００１６】
図３から図７は、本実施形態の搬送用バッグ１に収容する比較的大型の機材の１例である電動式の介護用ベッドの構成各部を示している。図３は駆動部１１を示しており、電動機器が装着されている。図４はアクセサリー枠部１２を示し、図５はベースフレーム１３を示し、図６は人が横臥するボトム部１４を示し、図７はヘッドボード１５とフットボード１６とを示している。
【００１７】
次に、本実施形態の搬送用バッグ１の作用を説明する。
【００１８】
まず、図２に示すように、バッグ部２を展開した状態において搬送対象物８として図３から図７に示す電動式の介護用ベッドの構成各部（１１〜１６）を１個若しくは複数個を組合わせて一方の第２半部２ｂの内面上に載せる。なお、複数の部材を収納する場合には、適宜に仕切部材を介在させるとよい。その後、他方の第１半部２ａを図２の矢印に示すように、底部７から折りたたむようにして搬送対象物８の上に掛け、両ファスナ４ａ、４ｂを閉めることによりバッグ部２の開口部３を全閉とすることにより、搬送対象物８を収納する。このように、本実施形態による搬送用バッグ１によれば極めて簡単に搬送対象物８の収納作業を行うことができる。搬送する場合には、搬送用バッグ１を図１に示すように底部７を下にして立て、その後搬送用索体５、５を肩に掛け、搬送用持ち手６を手で持つことにより、バッグ部２を肩よりつり下げるようにして搬送する。
【００１９】
このように搬送対象物８を収納した状態で搬送用バッグ１を所定箇所まで搬送し、収納作業と逆の手順でバッグ部２から搬送対象物８を取り出す。
【００２０】
その後、搬送用バッグ１を再使用に供する。
【００２１】
このように本実施形態の搬送用バッグ１においては、バッグ部２の素材が柔軟性を有するので、介護用ベッド等のような非定型な複数の部品に分解されるような比較的大型の機材の収納に適している。また、本実施形態の搬送用バッグ１においては、搬送対象物８の収納梱包作業も、バッグ部２を展開した状態において搬送対象物８をいずれかの半部２ｂに載せ、その後他方の半部２ａを底部７から折りたたむようにして搬送対象物８の上に掛け、ファスナ４を閉めることによりバッグ部２の開口部３を全閉とすることにより、極めて簡単に行うことができる。
【００２２】
更に、本実施形態の搬送用バッグ１によれば、搬送する場合には、搬送用索体５を肩に掛け、搬送用持ち手６部分を手で持つことにより簡単に搬送することができる。更に、本実施形態の搬送用バッグ１は再使用に供することができるので、バックの素材の有効利用を図ることができるとともに、環境に取っても優しいものとなる。また、本発明における搬送用バッグ１は、バッグ部２の両半部２ａ、２ｂの頂部よりそれぞれ上方に延出された搬送用索体５を両半部２ａ、２ｂの底部７を通して連続するように形成されているので、丈夫な搬送用索体５がバッグ部２の底部７をも支承することとなり、バッグ部２が丈夫となり、重い搬送対象物も搬送することができる。また、本発明の搬送用バッグ１は、図３から図７に示す組立分解自在な介護用ベッドを分解状態にして収納できるので、介護用ベッドを分解して簡単に搬送することができる。そして、この搬送用バッグをレンタル対象とすると、当該介護用ベッドをレンタルの搬送時に手際よく簡単に、しかも介護用ベッドを損傷させることなく安全に搬送することができる。
【００２３】
なお、本発明は前記実施の形態に限定されるものではなく、必要に応じて変更することができる。
【図面の簡単な説明】
【００２４】
【図１】本発明の搬送用バッグの１実施形態の搬送対象物を収納した状態を示す斜視図
【図２】本発明の搬送用バッグの展開状態を示す斜視図
【図３】電動式の介護用ベッドの駆動部を示す斜視図
【図４】電動式の介護用ベッドのアクセサリー枠部を示す斜視図
【図５】電動式の介護用ベッドのベースフレームを示す斜視図
【図６】電動式の介護用ベッドのボトム部を示す斜視図
【図７】電動式の介護用ベッドのボード部を示す斜視図
【符号の説明】
【００２５】
１  搬送用バッグ
２  バッグ部
３  開口部
４  ファスナ
５  搬送用索体
６  搬送用持ち手
７  底部
【図１】
2006296728.tif 000003
【図２】
2006296728.tif 000004
【図３】
2006296728.tif 000005
【図４】
2006296728.tif 000006
【図５】
2006296728.tif 000007
【図６】
2006296728.tif 000008
【図７】
2006296728.tif 000009